(57)【要約】  樹脂材料から成るサーバー用ボトル１は、矩形状の底部１０と、底部１０の周縁から上方へ連続する角筒状の胴部２０と、胴部２０の上端縁から中央部３１へ向かって上向きに傾斜している肩部３０と、中央部３１から上方へ突出している首部４０とを備える。胴部２０は、上下方向に伸縮自在な蛇腹５２を有し、蛇腹５２を平面視した際の４つの角部５２ａの各々の厚さｔ１１は、蛇腹部５０の角部５２ａ同士を繋ぐ４つの繋ぎ部５２ｂの各々の厚さｔ１２よりも小さい。
2020110235.tif 000002
【特許請求の範囲】
【請求項１】
矩形状の底部と、
前記底部の周縁から上方へ連続する角筒状の胴部と、
前記胴部の上端縁から中央部へ向かって上向きに傾斜している肩部と、
前記中央部から上方へ突出している首部と、
を備え、樹脂材料から成るウォーターサーバー用ボトルであって、
前記胴部は、上下方向に伸縮自在な蛇腹部を有し、
前記蛇腹部を平面視した際の４つの角部の各々の厚さは、前記蛇腹部の前記角部同士を繋ぐ４つの繋ぎ部の各々の厚さよりも小さい、
ウォーターサーバー用ボトル。
【請求項２】
前記角部の角は、円弧状に形成されている、
請求項１に記載のウォーターサーバー用ボトル。
【請求項３】
前記角部の厚さは、０．０５（ｍｍ）以上で、かつ０．１１（ｍｍ）以下である、
請求項１又は２に記載のウォーターサーバー用ボトル。
【請求項４】
前記繋ぎ部の厚さは、０．０９（ｍｍ）以上で、かつ０．１６（ｍｍ）以下である、
請求項１又は２に記載のウォーターサーバー用ボトル。
【請求項５】
前記蛇腹部の厚さは、０．０５（ｍｍ）以上で、かつ０．１６（ｍｍ）以下である、
請求項１から４のいずれか１項に記載のウォーターサーバー用ボトル。
【請求項６】
前記肩部の前記首部に近い位置での厚さは、前記肩部の前記首部から離れた位置での厚さよりも大きい、
請求項１から５のいずれか１項に記載のウォーターサーバー用ボトル。
【請求項７】
前記肩部の厚さは、前記首部から離れるにつれて漸次小さくなっている、
請求項６に記載のウォーターサーバー用ボトル。
【請求項８】
前記胴部は、前記蛇腹部の一端側と前記肩部を繋いでいる一端部と、前記蛇腹部の他端側と前記底部を繋いでいる他端部とを有し、
前記蛇腹部は、前記一端部及び前記他端部の厚さよりも小さい、
請求項１から７のいずれか１項に記載のウォーターサーバー用ボトル。
【請求項９】
前記蛇腹部の厚さは、前記肩部の厚さよりも小さい、
請求項１から８のいずれか１項に記載のウォーターサーバー用ボトル。
【請求項１０】
前記肩部には、前記首部の周囲に放射状上に前記肩部から突出する複数のリブが設けられており、
前記リブの高さは、前記肩部の厚さよりも大きい、
請求項１から９のいずれか１項に記載のウォーターサーバー用ボトル。
【請求項１１】
前記肩部と前記胴部の接続部は、曲面部となっており、
前記リブの長手方向の先端は、前記曲面部と繋がっている、
請求項１０に記載のウォーターサーバー用ボトル。
【発明の詳細な説明】
【技術分野】
【０００１】
本発明は、ミネラルウォーター等の液体が充填されるウォーターサーバー用ボトルに関する。
【背景技術】
【０００２】
ウォーターサーバー用ボトルは、ウォーターサーバーに着脱可能に装着された状態で、内部のミネラルウォーターがウォーターサーバーを介して提供される。このようなウォーターサーバー用ボトルとして、矩形状の底部、角筒状の胴部、肩部及び首部を有するボトルが提案されている（特許文献１参照）。
【先行技術文献】
【特許文献】
【０００３】
【特許文献１】特許５２５３０８５号公報
【発明の概要】
【発明が解決しようとする課題】
【０００４】
液体が充填された上記ボトルは、ウォーターサーバーへの装着前に輸送されるおり、輸送時の損傷に起因する漏水等を抑制するために強度が求められる。また、上記ボトルでは、胴部に上下方向に伸縮可能な蛇腹部が設けられており、ウォーターサーバーに装着された状態では、ボトル内のミネラルウォーターが首部から排出されて減るにつれて蛇腹部が潰れていく構成となっている。【０００５】
ところで、蛇腹部の剛性が高い場合には、蛇腹部が適切に潰れずに、ボトル内のミネラルウォーターを適切に排出できないおそれがある。一方で、蛇腹部の剛性が低い場合には、角筒状の胴部を有するボトルの強度を適切に確保できないおそれがある。【０００６】
そこで、本発明はこれらの点に鑑みてなされたものであり、蛇腹部が適切に潰れられると共に、胴部の強度を適切に確保できるウォーターサーバー用ボトルを提供することを目的とする。
【課題を解決するための手段】
【０００７】
本発明の一の態様においては、矩形状の底部と、前記底部の周縁から上方へ連続する角筒状の胴部と、前記胴部の上端縁から中央部へ向かって上向きに傾斜している肩部と、前記中央部から上方へ突出している首部と、を備え、樹脂材料から成るウォーターサーバー用ボトルであって、前記胴部は、上下方向に伸縮自在な蛇腹部を有し、前記蛇腹部を平面視した際の４つの角部の各々の厚さは、前記蛇腹部の前記角部同士を繋ぐ４つの繋ぎ部の各々の厚さよりも小さい、ウォーターサーバー用ボトルを提供する。【０００８】
また、前記角部の角は、円弧状に形成されていることとしてもよい。【０００９】
また、前記角部の厚さは、０．０５（ｍｍ）以上で、かつ０．１１（ｍｍ）以下であることとしてもよい。【００１０】
また、前記繋ぎ部の厚さは、０．０９（ｍｍ）以上で、かつ０．１６（ｍｍ）以下であることとしてもよい。【００１１】
また、前記蛇腹部の厚さは、０．０５（ｍｍ）以上で、かつ０．１６（ｍｍ）以下であることとしてもよい。【００１２】
また、前記肩部の前記首部に近い位置での厚さは、前記肩部の前記首部から離れた位置での厚さよりも大きいこととしてもよい。【００１３】
また、前記肩部の厚さは、前記首部から離れるにつれて漸次小さくなっていることとしてもよい。【００１４】
また、前記胴部は、前記蛇腹部の一端側と前記肩部を繋いでいる一端部と、前記蛇腹部の他端側と前記底部を繋いでいる他端部とを有し、前記蛇腹部は、前記一端部及び前記他端部の厚さよりも小さいこととしてもよい。【００１５】
また、前記蛇腹部の厚さは、前記肩部の厚さよりも小さいこととしてもよい。
また、前記肩部には、前記首部の周囲に放射状上に前記肩部から突出する複数のリブが設けられており、前記リブの高さは、前記肩部の厚さよりも大きいこととしてもよい。
また、前記肩部と前記胴部の接続部は、曲面部となっており、前記リブの長手方向の先端は、前記曲面部と繋がっていることとしてもよい。
【発明の効果】
【００１６】
本発明によれば、蛇腹部が適切に潰れられると共に、胴部の強度を適切に確保できるという効果を奏する。
【図面の簡単な説明】
【００１７】
【図１】本発明の一の実施形態に係るサーバー用ボトル１の斜視図である。
【図２】サーバー用ボトル１の正面図である。
【図３】サーバー用ボトル１の底面図である。
【図４】サーバー用ボトル１の平面図である。
【図５】サーバー用ボトル１がサーバー１００に装着された状態を説明するための模式図である。
【図６】サーバー用ボトル１内のミネラルウォーターが減った際の状態を説明するための模式図である。
【図７】底部１０、肩部３０、及び蛇腹部５０の厚さの関係を説明するための模式図である。
【図８】図２のＡ−Ａ断面図である。
【図９】肩部３０の厚さを説明するための模式図である。
【図１０】比較例に係るサーバー用ボトル９００がサーバー１００に装着された状態を説明するための模式図である。
【図１１】蛇腹５２の厚さの測定結果と、強度及び残水の評価結果とを示す表である。
【図１２】肩部３０の厚さの測定結果と、装着性及び残水の評価結果とを示す表である。
【発明を実施するための形態】
【００１８】
＜ボトルの概要＞
本発明の一の実施形態に係るウォーターサーバー用ボトル（以下、サーバー用ボトルと呼ぶ）について、図１〜図４を参照しながら説明する。
【００１９】
図１は、一の実施形態に係るサーバー用ボトル１の斜視図である。図２は、サーバー用ボトル１の正面図である。図３は、サーバー用ボトル１の底面図である。図４は、サーバー用ボトル１の平面図である。
【００２０】
サーバー用ボトル１は、中空ボトルであり、内部にミネラルウォーター等の液体が充填されている。サーバー用ボトル１がウォーターサーバー（以下、単にサーバーと呼ぶ）に装着された状態で、ボトル内のミネラルウォーターがサーバーを介してユーザに提供される。サーバー用ボトル１は、樹脂材料から成り、例えばブロー成形（中空成形とも呼ばれる）によって成形されている。樹脂材料としては、一例としてＰＥＴ樹脂（ポリエチレンテレフタレート樹脂）が用いられるが、これに限定されず他の樹脂であってもよい。
【００２１】
サーバー用ボトル１は、上から見てほぼ正方形状となっている（図４参照）。これにより、円形状のボトルに比べて、内部にミネラルウォーターを収容する容積を大きくすることができる。サーバー用ボトル１は、図１に示すように、底部１０と、胴部２０と、肩部３０と、首部４０とを有する。
【００２２】
底部１０は、保管時等に、床面に接触する平面状の部分である。底部１０は、ここでは図３に示すように矩形状に形成されている。なお、底部１０には、サーバー用ボトル１を上下反転した際にユーザが把持する取っ手が設けられていてもよい。
【００２３】
胴部２０は、図２に示すように底部１０の周縁から上方へ連続した胴体部分である。胴部２０は、ここでは図１に示すように角筒状に形成されている。
胴部２０は、上下方向に伸縮可能な蛇腹部５０を有する。蛇腹部５０は、図２に示すように、上下方向に沿って配列された複数の蛇腹５２を含む。例えば、互いに繋がった複数の蛇腹５２の各々が上下方向において潰れることで、蛇腹部５０の高さが小さくなる（すなわち、胴部２０が上下方向において縮む）。
【００２４】
肩部３０は、図２に示すように、胴部２０の上端縁から中央部３１へ向かって上向きに傾斜している。具体的には、肩部３０は、首部４０へ向かって上向きに傾斜している。肩部３０と胴部２０の接続部は、曲面となっている。
【００２５】
肩部３０には、図１に示すように、複数のリブ３２が設けられている。複数のリブ３２は、首部４０の周囲に放射状に配置されている。すなわち、複数のリブ３２は、肩部３０の広い領域に配置されている。各リブ３２は、それぞれ肩部３０から所定量だけ突出するように形成されている。例えば、各リブ３２は、半円形に隆起するように形成されている。各リブ３２の高さは、肩部３０の厚さよりも大きく、好ましくは肩部３０の厚さの２倍よりも大きいことが望ましい。リブ３２の高さを大きくすることで、肩部３０の剛性を高められる。
また、中央部３１側から放射状に配置された各リブ３２の長手方向の先端は、肩部３０と胴部２０の接続部である曲面部３５と繋がっている。本実施形態では、曲面部３５の曲率半径を大きくしているため、リブ３２の先端が曲面部３５と繋がっている。このため、リブ３２の先端部も曲面部３５に沿って曲がっている（図２参照）。曲面部３５の曲率半径を大きくすることで、曲率半径が小さい場合に比べて、ブロー成形時に曲面部３５の厚さを大きくできるので、曲面部３５の強度を高められる。この結果、例えばサーバー用ボトル１の輸送時に曲面部３５にピンホール（小孔）が発生することを抑制できるので、ピンホールからの水漏れを防止できる。
【００２６】
首部４０は、図１に示すように、肩部３０の中央部３１から上方へ突出している。首部４０は、ここでは円筒状に形成されている。首部４０は、ボトル内にミネラルウォーターを充填する際や、内部のミネラルウォーターを排出する際の流路として機能する。また、首部４０は、サーバー用ボトル１をサーバーに装着する際の装着部として機能する。なお、首部４０には連通孔が形成されているが、当該連通孔を密封するためのキャップが着脱可能に取り付けられている。
【００２７】
上述したサーバー用ボトル１は、サーバーに着脱可能に取り付けられる。
図５は、サーバー用ボトル１がサーバー１００に装着された状態を説明するための模式図である。図５には、サーバー用ボトル１内のミネラルウォーターが消費される前の液面Ｌが示されている。サーバー用ボトル１は、上下を反転させた状態で、サーバー１００に装着される。
【００２８】
サーバー１００は、図５に示すように、支持部１１０と、パイプ１２０とを有する。
支持部１１０は、サーバー用ボトル１を支持する。例えば、支持部１１０は、サーバー用ボトル１の肩部３０に接触して支持する。支持部１１０の中央には、凹部１１２が形成されており、凹部１１２にサーバー用ボトル１の首部４０が装着される。
【００２９】
パイプ１２０は、凹部１１２の底面から上方へ突出するように棒状に設けられており、サーバー用ボトル１内のミネラルウォーターを受ける受水棒である。パイプ１２０内は、受水したミネラルウォーターが流れる流路となっている。パイプ１２０は、首部４０が凹部１１２に装着された際に、首部４０の連通孔４２から首部４０内へ挿入されて、首部４０と嵌合する。なお、パイプ１２０は、先端に向かって直径が小さくなるようにテーパー形状になっている。
【００３０】
図６は、サーバー用ボトル１内のミネラルウォーターが減った際の状態を説明するための模式図である。サーバー１００に装着された状態でボトル内のミネラルウォーターが消費されていくと、サーバー用ボトル１は大気圧やサーバー１００からの負圧によって押し潰されていく。具体的には、サーバー用ボトル１内のミネラルウォーターが首部４０から排出されて減るにつれて、蛇腹５２が潰れていく。なお、図５及び図６では、説明の便宜上、肩部３０のリブ３２が省略されている。
【００３１】
ところで、ミネラルウォーターが充填されたサーバー用ボトル１は、サーバー１００への装着前に輸送等されており、輸送時の損傷が発生することがある。例えば、輸送時のサーバー用ボトル１が他の物体との接触等によってピンホール（小孔）が発生し、当該ピンホールから漏水するおそれがある。このため、ピンホール等の損傷を抑制するために、ボトルの強度が求められる。
また、サーバー用ボトル１では、蛇腹部５０（具体的には、蛇腹５２）の剛性を適切に調整することが望ましい。すなわち、蛇腹部５０の剛性が高い場合には、蛇腹部５０の蛇腹５２が適切に潰れずに、サーバー用ボトル１内のミネラルウォーターを適切に排出できないおそれがある。一方で、蛇腹部５０の剛性が低い場合には、角筒状の胴部２０の強度を適切に確保できないおそれがある。
これに対して、本実施形態のサーバー用ボトル１は、詳細は後述するが、蛇腹部５０の厚さを調整することで、蛇腹部５０が適切に潰れられると共に胴部２０の強度を適切に確保している。
【００３２】
＜蛇腹部５０の詳細構成について＞
蛇腹部５０の詳細構成について、図７及び図８を参照しながら説明する。
【００３３】
図７は、底部１０、肩部３０、及び蛇腹部５０の厚さの関係を説明するための模式図である。図７では、説明の便宜上、肩部３０のリブ３２が省略されている。本実施形態では、サーバー用ボトル１全体の厚さは均一ではなく、蛇腹部５０の厚さは、底部１０及び肩部３０の厚さとは異なる。具体的には、蛇腹部５０の厚さｔ１は、底部１０の厚さｔ２と肩部３０の厚さｔ３よりも小さい。例えば、蛇腹部５０の厚さｔ１は、０．０５（ｍｍ）以上で、かつ０．１６（ｍｍ）以下である。上記のように蛇腹部５０の厚さを調整することで、蛇腹部５０が適切に潰れることができるので、サーバー用ボトル１内の残水が多くなることを抑制できる。また、底部１０及び肩部３０の剛性が高いことでサーバー用ボトル１の強度が高くなり、例えばピンホールの発生を抑制できるので、漏水の発生を抑制できる。
【００３４】
蛇腹部５０は、上下方向において胴部２０の中央側に位置している。そして、胴部２０は、蛇腹部５０の一端側と肩部３０を繋いでいる一端部２２と、蛇腹部５０の他端側と底部１０を繋いでいる他端部２３とを有する。そして、蛇腹部５０の厚さｔ１は、一端部２２の厚さｔ２１及び他端部２３の厚さｔ２２よりも小さい。すなわち、胴部２０の厚さも部分によって異なる。
【００３５】
サーバー用ボトル１は、前述したようにブロー成形で成形されているが、例えば金型の形状、プリフォームの形状、プリフォームへの空気の吹込み条件等を調整することで、蛇腹部５０の厚さｔ１を底部１０及び肩部３０の厚さよりも小さくしている。なお、底部１０の厚さｔ３は、肩部３０の厚さｔ４と同じ大きさでもよい。
【００３６】
蛇腹部５０は、図７に示すように、複数（例えば６個）の蛇腹５２を上下方向に積層した構成となっている。複数の蛇腹５２の構成は、それぞれ同じである。蛇腹５２は図８に示すように環状に形成されているが、蛇腹５２全体の厚さは均一ではない。
【００３７】
図８は、図２のＡ−Ａ断面図であり、蛇腹５２の厚さを説明するための図である。蛇腹５２を平面視した際に、蛇腹５２は、４つの角部５２ａと、４つの繋ぎ部５２ｂで構成される。なお、６個の蛇腹５２の構成は同様であるので、以下では一の蛇腹５２を例に挙げて説明する。
【００３８】
角部５２ａは、蛇腹５２の四隅の角の部分（図８で破線の円で囲んだ部分）である。角部５２ａは、略９０度に曲がっており、円弧状に形成されている。角部５２ａの厚さは、例えば０．０５（ｍｍ）〜０．１１（ｍｍ）の範囲内である。好ましくは、角部５２ａの厚さは、０．０５（ｍｍ）以上０．１０（ｍｍ）未満である。
【００３９】
繋ぎ部５２ｂは、角部５２ａ同士を繋いでいる部分である。繋ぎ部５２ｂは、略直線状になっている。繋ぎ部５２ｂの厚さは、例えば０．０９（ｍｍ）〜０．１６（ｍｍ）の範囲内である。好ましくは、繋ぎ部５２ｂの厚さは、０．１０（ｍｍ）以上０．１６（ｍｍ）以下である。
【００４０】
角部５２ａの厚さｔ１１は、繋ぎ部５２ｂの厚さｔ１２と異なる。具体的には、角部５２ａの厚さｔ１１が繋ぎ部５２ｂの厚さｔ１２よりも小さくなるように、上述した範囲内で設定されている。一方で、角部５２ａの厚さｔ１１は、繋ぎ部５２ｂの厚さｔ１２の１／２よりは大きい。上記のように角部５２ａの厚さｔ１１を繋ぎ部５２ｂの厚さｔ１２よりも小さくすることで、略９０度に曲がっている角部５２ａの剛性と、略直線状に伸びている繋ぎ部５２ｂの剛性とが同じようになり、ボトル内のミネラルウォーターが排出される際に蛇腹５２が潰れやすくなる。一方で、繋ぎ部５２ｂの厚さを大きくしておくことで、繋ぎ部５２ｂの剛性の低下を抑制でき、蛇腹５２を含めた胴部２０全体の強度を確保することができる。
【００４１】
＜肩部３０の詳細構成について＞
肩部３０の詳細構成について、図９を参照しながら説明する。
【００４２】
図９は、肩部３０の厚さを説明するための模式図である。本実施形態では、肩部３０全体の厚さは、均一ではなく、首部４０からの位置に応じて異なる。肩部３０の中央部３１に近い位置での厚さは、肩部３０の中央部３１から離れた位置での厚さよりも大きい。すなわち、図９に示すように、中央部３１から距離Ｌ１の位置での肩部３０の厚さｔ４１は、中央部３１から距離Ｌ２の位置での肩部３０の厚さｔ４２よりも大きい。厚さｔ４１は、例えば厚さｔ４２の２倍以上の大きさである。
【００４３】
肩部３０の厚さは、中央部３１から離れるにつれて漸次小さくなっており、中央部３１を中心とした同心円上では同じ大きさである。肩部３０の厚さは、段階的に小さくなってもよい。なお、肩部３０に形成された複数のリブ３２（図４）の厚さも、中央部３１に近いと大きくなっており、中央部３１から離れると小さくなっている。
【００４４】
上記のように肩部３０の厚さを設定することで、肩部３０の剛性（特に、肩部３０の中央部３１側の部分の剛性）を高めることができる。また、本実施形態では、リブ３２の高さを高くし、またリブ３２を肩部３０のほぼ全領域に所定間隔で複数設けていることで、肩部３０の剛性をより高めている。これにより、例えばサーバー用ボトル１を上下反転してボトル内のミネラルウォーターの荷重が肩部３０に作用しても、荷重に起因する肩部３０の変形を抑制できる。そして、肩部３０の変形を抑制することで、首部４０の倒れも抑制できるので、首部４０をサーバー１００の所望の位置に適切に装着させることができる（すなわち、装着性が良い）。
肩部３０が変形すると、ボトル内のミネラルウォーターが消費される際に、肩部３０の変形した箇所（例えば端の部分）にミネラルウォーターが溜まってしまい、残水量が多くなるおそれがある。これに対して、本実施形態のように肩部３０の変形を抑制することで、残水量が多くなることを抑制できる。
【００４５】
図１０は、比較例に係るサーバー用ボトル９００がサーバー１００に装着された状態を説明するための模式図である。比較例のサーバー用ボトル９００においては、肩部９３０の厚さが小さいため、肩部９３０の剛性が低い。そして、サーバー用ボトル９００の装着時にパイプ１２０を首部９４０に挿入する際の挿入抵抗が大きいと、肩部９３０が変形して図１０に示すように反ってしまう。この場合、首部９４０がサーバー１００に対して所定位置まで差し込まれずに浮いた状態となり（すなわち、装着性が悪い）、首部９４０がパイプ１２０と適切に嵌合していない。前述したようにパイプ１２０は先端に向かって直径が小さいテーパー形状となっているため、首部９４０のパイプ１２０に対する嵌合が不十分だと、パイプ１２０と首部９４０の嵌合部分からボトル内のミネラルウォーターが漏れてしまうおそれがある。また、図１０に示すように肩部９３０が凹むように沿っている場合には、肩部９３０と胴部９２０の接続部にミネラルウォーターが溜まりやすくなり、残水量が多くなってしまう。
【００４６】
これに対して、本実施形態の場合には、肩部３０の剛性が高いため、肩部３０の変形を抑制できる。これにより、図１０に示すように反ることを抑制できるので、前述した図５に示すように首部４０が所定位置まで差し込まれてパイプ１２０と適切に嵌合する（すなわち、首部４０の装着性が良い）。これにより、サーバー用ボトル１がサーバー１００に装着された際にボトル内のミネラルウォーターが漏れることを抑制でき、また、残水量が多くなることを抑制できる。
【００４７】
＜測定結果及び評価結果について＞
蛇腹５２の厚さが、サーバー用ボトル１の強度と、サーバー用ボトル１内の残水に与える影響について、図１１を参照しながら説明する。
【００４８】
図１１は、蛇腹５２の厚さの測定結果と、強度及び残水の評価結果とを示す表である。ここでは、９本のボトルＡ〜Ｉが用いられており、それぞれ蛇腹５２（具体的には、角部５２ａ及び繋ぎ部５２ｂ）の厚さが異なる。表に示すように、ボトルＡの蛇腹５２の厚さが最も小さく、ボトルＢ、・・、ボトルＩの順に蛇腹５２の厚さが大きくなっている。また、蛇腹５２の繋ぎ部５２ｂの厚さｔ１２は、ここでは、角部５２ａの厚さｔ１１の約１．５〜２倍である。
【００４９】
強度評価は、ボトルＡ〜Ｉの輸送時の損傷（具体的にはピンホール）の発生の有無によって、ボトルＡ〜Ｉの強度を評価するものである。強度評価において、ボトルＡ〜Ｉの輸送時に損傷していない場合には「○」とし、輸送時に損傷している場合には「×」としている。残水評価は、ボトルＡ〜Ｉ内のミネラルウォーターを消費した際の残水量が、充填量の所定割合（例えば１．２５％）を超えているか否かによって評価するものである。残水評価において、残水量が充填量の所定割合未満である場合には「○」とし、残水量が所定割合以上である場合には「×」としている。
【００５０】
図１１の表を見ると分かるように、強度評価で合格レベルのボトルは、ボトルＣ〜Ｉであり、これらのボトルの蛇腹５２の厚さは０．０５（ｍｍ）以上である。残水評価で合格レベルのボトルは、ボトルＡ〜Ｇであり、これらのボトルの蛇腹５２の厚さは０．１６（ｍｍ）以下である。そして、強度評価及び残水評価の両方の水準を満たすボトルは、ボトルＣ〜Ｇであり、これらのボトルの蛇腹５２の厚さは、０．０５（ｍｍ）以上で、かつ０．１６（ｍｍ）以下である。より好ましくは、蛇腹５２の厚さは、０．０５（ｍｍ）以上で、かつ０．１４（ｍｍ）以下が好適である。
【００５１】
次に、肩部３０の厚さが、サーバー用ボトル１のサーバー１００への装着性と、サーバー用ボトル１内の残水に与える影響について、図１２を参照しながら説明する。
【００５２】
図１２は、肩部３０の厚さの測定結果と、装着性及び残水の評価結果とを示す表である。ここでは、６本のボトルＡ〜Ｆが用いられており、それぞれ肩部３０の厚さが異なる。表に示すように、ボトルＡの肩部３０の厚さが最も小さく、ボトルＢ、・・、ボトルＦの順に肩部３０の厚さが大きくなっている。また、肩部３０の厚さは、中央部３１からの距離が３０（ｍｍ）、５５（ｍｍ）、８０（ｍｍ）の位置で測定されている。
【００５３】
装着性評価は、ボトルＡ〜Ｆをサーバー１００に装着した際に首部４０が支持部１１０の凹部１１２に適切に嵌合しているか否かによって評価するものである。首部４０が凹部１１２に適切に嵌合する場合には「○」とし、肩部３０の変形等に起因して首部４０が凹部１１２に適切に嵌合しない場合には「×」としている。残水評価は、ボトルＡ〜Ｆ内のミネラルウォーターを消費した際の残水量が、充填量の所定割合（例えば１．２５％）を超えているか否かによって評価するものである。残水評価において、残水量が充填量の所定割合未満である場合には「○」とし、残水量が所定割合以上である場合には「×」としている。
【００５４】
図１２の表を見ると分かるように、装着性評価で合格レベルのボトルは、ボトルＢ〜Ｆである。また、残水評価で合格レベルのボトルは、ボトルＣ〜Ｆである。今回の測定・評価結果から、装着性及び残水が良好であるためには、中央部３１からの距離が３０（ｍｍ）の位置の肩部３０の厚さが０．４３（ｍｍ）以上であり、距離が５５（ｍｍ）の位置の肩部３０の厚さが０．２３（ｍｍ）以上であり、距離が８０（ｍｍ）の位置の肩部３０の厚さが０．１６（ｍｍ）以上であることが望ましい。
【００５５】
＜本実施形態における効果＞
上述したサーバー用ボトル１において、角筒状（平面視した際に矩形状）の胴部２０は、上下方向に伸縮可能な蛇腹部５０を有する。そして、蛇腹部５０（具体的には、上下方向に並んだ複数の蛇腹５２）の４つの角部５２ａの厚さｔ１１は、角部５２ａ同士を繋ぐ繋ぎ部５２ｂの各々の厚さｔ１２よりも小さい。
上記のように角部５２ａの厚さｔ１１を繋ぎ部５２ｂの厚さｔ１２よりも小さくすることで、略９０度に曲がっている角部５２ａの剛性と、略直線状に伸びている繋ぎ部５２ｂの剛性とが同じようになり、ボトル内のミネラルウォーターを消費する際に蛇腹５２が潰れやすくなる。一方で、繋ぎ部５２ｂについては剛性の低下を抑制することで、蛇腹５２を含めた胴部２０の強度を確保することができる。
【００５６】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５７】
１    サーバー用ボトル
１０    底部
２０    胴部
２２    一端部
２３    他端部
３０    肩部
３１    中央部
３２    リブ
３５    曲面部
４０    首部
５０    蛇腹部
５２    蛇腹
５２ａ    角部
５２ｂ    繋ぎ部
【図１】
2020110235.tif 000003
【図２】
2020110235.tif 000004
【図３】
2020110235.tif 000005
【図４】
2020110235.tif 000006
【図５】
2020110235.tif 000007
【図６】
2020110235.tif 000008
【図７】
2020110235.tif 000009
【図８】
2020110235.tif 000010
【図９】
2020110235.tif 000011
【図１０】
2020110235.tif 000012
【図１１】
2020110235.tif 000013
【図１２】
2020110235.tif 000014
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
矩形状の底部と、
前記底部の周縁から上方へ連続する角筒状の胴部と、
前記胴部の上端縁から中央部へ向かって上向きに傾斜している肩部と、
前記中央部から上方へ突出している首部と、
を備え、樹脂材料から成るウォーターサーバー用ボトルであって、
前記胴部は、上下方向に伸縮自在な蛇腹部を有し、
前記蛇腹部を平面視した際の４つの角部の各々の厚さは、前記蛇腹部の前記角部同士を繋ぐ４つの繋ぎ部の各々の厚さよりも小さく、
前記肩部の前記首部に近い位置での厚さは、前記肩部の前記首部から離れた位置での厚さよりも大きい、
ウォーターサーバー用ボトル。
【請求項２】
前記角部の角は、円弧状に形成されている、
請求項１に記載のウォーターサーバー用ボトル。
【請求項３】
前記角部の厚さは、０．０５（ｍｍ）以上で、かつ０．１１（ｍｍ）以下である、
請求項１又は２に記載のウォーターサーバー用ボトル。
【請求項４】
前記繋ぎ部の厚さは、０．０９（ｍｍ）以上で、かつ０．１６（ｍｍ）以下である、
請求項１又は２に記載のウォーターサーバー用ボトル。
【請求項５】
前記蛇腹部の厚さは、０．０５（ｍｍ）以上で、かつ０．１６（ｍｍ）以下である、
請求項１から４のいずれか１項に記載のウォーターサーバー用ボトル。
【請求項６】
前記肩部の厚さは、前記首部から離れるにつれて漸次小さくなっている、
請求項１に記載のウォーターサーバー用ボトル。
【請求項７】
前記胴部は、前記蛇腹部の一端側と前記肩部を繋いでいる一端部と、前記蛇腹部の他端側と前記底部を繋いでいる他端部とを有し、
前記蛇腹部の厚さは、前記一端部及び前記他端部の厚さよりも小さい、
請求項１から６のいずれか１項に記載のウォーターサーバー用ボトル。
【請求項８】
前記蛇腹部の厚さは、前記肩部の厚さよりも小さい、
請求項１から７のいずれか１項に記載のウォーターサーバー用ボトル。
【請求項９】
前記肩部には、前記首部の周囲に放射状に配置され前記肩部から突出する複数のリブが設けられており、
前記リブの高さは、前記肩部の厚さよりも大きい、
請求項１から８のいずれか１項に記載のウォーターサーバー用ボトル。
【請求項１０】
前記肩部と前記胴部の接続部は、曲面部となっており、
前記リブの長手方向の先端は、前記曲面部と繋がっている、
請求項９に記載のウォーターサーバー用ボトル。
【請求項１１】
前記肩部には、前記首部の周囲に放射状上に前記肩部から突出する複数のリブが所定間隔で設けられており、
前記肩部の前記リブが設けられていない部分の前記首部に近い位置での厚さは、前記首部から離れた位置での厚さよりも大きい、
請求項１から８のいずれか１項に記載のウォーターサーバー用ボトル。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
矩形状の底部と、
前記底部の周縁から上方へ連続する角筒状の胴部と、
前記胴部の上端縁から中央部へ向かって上向きに傾斜している肩部と、
前記中央部から上方へ突出している首部と、
を備え、樹脂材料から成るウォーターサーバー用ボトルであって、
前記胴部は、上下方向に伸縮自在な蛇腹部を有し、
前記蛇腹部を平面視した際の４つの角部の各々の厚さは、前記蛇腹部の前記角部同士を繋ぐ４つの繋ぎ部の各々の厚さよりも小さく、
前記肩部の前記首部に近い位置での厚さは、前記肩部の前記首部から離れた位置での厚さよりも大きい、
ウォーターサーバー用ボトル。
【請求項２】
前記角部の角は、円弧状に形成されている、
請求項１に記載のウォーターサーバー用ボトル。
【請求項３】
前記角部の厚さは、０．０５（ｍｍ）以上で、かつ０．１１（ｍｍ）以下である、
請求項１又は２に記載のウォーターサーバー用ボトル。
【請求項４】
前記繋ぎ部の厚さは、０．０９（ｍｍ）以上で、かつ０．１６（ｍｍ）以下である、
請求項１又は２に記載のウォーターサーバー用ボトル。
【請求項５】
前記蛇腹部の厚さは、０．０５（ｍｍ）以上で、かつ０．１６（ｍｍ）以下である、
請求項１から４のいずれか１項に記載のウォーターサーバー用ボトル。
【請求項６】
前記肩部の厚さは、前記首部から離れるにつれて漸次小さくなっている、
請求項１に記載のウォーターサーバー用ボトル。
【請求項７】
前記胴部は、前記蛇腹部の一端側と前記肩部を繋いでいる一端部と、前記蛇腹部の他端側と前記底部を繋いでいる他端部とを有し、
前記蛇腹部の厚さは、前記一端部及び前記他端部の厚さよりも小さい、
請求項１から６のいずれか１項に記載のウォーターサーバー用ボトル。
【請求項８】
前記蛇腹部の厚さは、前記肩部の厚さよりも小さい、
請求項１から７のいずれか１項に記載のウォーターサーバー用ボトル。
【請求項９】
前記肩部には、前記首部の周囲に放射状に配置され前記肩部から突出する複数のリブが設けられており、
前記リブの高さは、前記肩部の厚さよりも大きい、
請求項１から８のいずれか１項に記載のウォーターサーバー用ボトル。
【請求項１０】
前記肩部と前記胴部の接続部は、曲面部となっており、
前記リブの長手方向の先端は、前記曲面部と繋がっている、
請求項９に記載のウォーターサーバー用ボトル。
【請求項１１】
前記肩部には、前記首部の周囲に放射状に配置され前記肩部から突出する複数のリブが所定間隔で設けられており、
前記肩部の前記リブが設けられていない部分の前記首部に近い位置での厚さは、前記首部から離れた位置での厚さよりも大きい、
請求項１から８のいずれか１項に記載のウォーターサーバー用ボトル。
【国際調査報告】
2020110235.tif 000015
2020110235.tif 000016
2020110235.tif 000017
2020110235.tif 000018